(57)【要約】【課題】  制動部材に通気孔を設ける場合にも、適切な音響特性を有して、再生音質に優れるヘッドホン並びにスピーカーユニットを提供する。【解決手段】  ヘッドホンは、振動板と、振動板の外周部を支持するフレームと、を有するスピーカーユニットと、スピーカーユニットを収容するハウジングと、通気性を有する素材で形成されて、振動板から放射される音波が通過するフレームの開孔および／またはハウジングの開孔を覆うように取り付けられる制動部材と、を備え、制動部材が、制動部材を形成する素材が除かれるように形成された１または複数の通気孔を有し、通気孔を規定する環状の縁部に縁部の振動を抑制する副制動部材が取り付けられている。【選択図】  図３
2018186356.tif 000002
【特許請求の範囲】
【請求項１】
振動板と、該振動板の外周部を支持するフレームと、を有するスピーカーユニットと、
該スピーカーユニットを収容するハウジングと、
通気性を有する素材で形成されて、該振動板から放射される音波が通過する該フレームの開孔および／または該ハウジングの開孔を覆うように取り付けられる制動部材と、
を備え、
該制動部材が、該制動部材を形成する素材が除かれるように形成された１または複数の通気孔を有し、該通気孔を規定する環状の縁部に副制動部材が取り付けられている、
ヘッドホン。
【請求項２】
前記副制動部材が、前記通気孔を規定する前記縁部の形状に合わせて環状形状に形成された紙部材、不織布部材、織布部材、または、多孔質部材の何れかである、
請求項１に記載のヘッドホン。
【請求項３】
振動板と、該振動板の外周部を支持するフレームと、を有するスピーカーユニットと、
該スピーカーユニットを収容するハウジングと、
通気性を有する素材で形成されて、該振動板から放射される音波が通過する該フレームの開孔および／または該ハウジングの開孔を覆うように取り付けられる制動部材と、
を備え、
該制動部材が、該制動部材を形成する素材が除かれるように形成された１または複数の通気孔を有し、
該フレームおよび／または該ハウジングが、該開孔を規定する基体から該開孔の内部側へ延設されて、該制動部材の該通気孔を規定する環状の縁部を固定する通気孔縁固定部を有する、
ヘッドホン。
【請求項４】
前記フレームおよび／または前記ハウジングが、樹脂、または、金属から形成されて、前記通気孔縁固定部が、前記制動部材の前記通気孔を規定する前記縁部の形状に合わせて環状形状に形成されて、その内側に該制動部材の該通気孔に連通する孔を有する、
請求項３に記載のヘッドホン。
【請求項５】
請求項１から４のいずれかに記載のヘッドホンが備える前記スピーカーユニットであって、
前記振動板から放射される音波が通過する前記フレームの前記開孔を覆うように取り付けられる前記制動部材を備える、
スピーカーユニット。
【発明の詳細な説明】
【技術分野】
【０００１】
本発明は、ユーザーの耳に装着されて音声再生するヘッドホン並びにイヤホンのスピーカーユニットに関し、特に、振動板から放射された音波が通過する制動部材を有するヘッドホン並びにスピーカーユニットに関する。
【背景技術】
【０００２】
ヘッドホンは、スピーカーユニットと、スピーカーユニットの背面側を囲むハウジングと、スピーカーユニットの前面側に設けられる耳接触部を備えている。ここでいうヘッドホンは、左右一対のハウジングがヘッドバンドなどで連結されているものだけでなく、ユーザーの耳にハウジングを直接支持させるイヤホンタイプのものや、ハウジングがマイク装置を備える所謂ヘッドセットを含んでいる。
【０００３】
このようなヘッドホンでは、スピーカーユニットまたはハウジングに通気性を有して振動板から放射された音波が通過する制動部材を設けるものがある。ヘッドホンは、制動部材を設けることにより、スピーカーユニットおよびハウジングが構成する音響等価回路の特性を変えて、音圧周波数特性等を改善する。ヘッドホンにおける制動部材は、振動板からその前面側または背面側に放射される音波が通過する開孔の通気性（空気の流量）を調整することができるように、主に通気性を有する部材で形成される。
【０００４】
例えば、従来には、音響変換器とこの音響変換器が取り付けられる筐体とからなり、この筐体は音響変換器後面より出る音を透過するダクト形状をなすと共に、その一面には少なくとも透孔を有し制動材が設けられていることを特徴とするヘッドホンがある（特許文献１）。布、ウレタン材、等から選択される制動材は、音響等価回路における抵抗成分として機能する。また、従来には、動電型のスピーカーユニットであるヘッドホンユニットの振動板の背面側の複数箇所に開口部を設け、この開口部に通気性を有する制動材である制動布を貼り付けて、振動板から背面への通気量を調整するものがある（特許文献２）。さらに、端子基板に透孔を設けて音響制動を行うようにするヘッドホンも特許文献２には開示されている。
【０００５】
具体的には、ヘッドホンの制動部材は、音波の媒体である空気を通過させことができる繊維部材で形成されている。例えば、制動部材は、通気性を有する紙部材、不織布部材、または、織布部材のような繊維部材で形成される。長短の繊維が絡み合ってできている繊維部材は、繊維と繊維との間に空気が通る隙間が生じるので、通気性を必要とする制動部材として用いることができる。また、制動部材は、発泡ウレタンのような通気性を有する多孔質部材であるクッション材、フォーム材であってもよい。
【０００６】
ヘッドホンの制動部材は、スピーカーユニットのフレームの開孔、あるいは、スピーカーユニットを収容するハウジングの開孔を覆うように取り付けられると同時に、その開孔での空気の流量を調節する通気孔をさらに設けられる場合がある。例えば、制動部材が紙材である場合に、繊維としての紙材が一部分で除かれた通気孔としての孔をさらに設けることがある。ヘッドホンにおける制動部材の材料選定と通気孔の設定は、ヘッドホンにおける音響回路の特性を変えるので、基本的な音圧周波数特性に大きく影響を与えるだけでなく、ヘッドホンの再生音質に大きな影響を与える。
【０００７】
例えば、制動部材を通気性のある紙部材で形成する場合には、容易に通気孔の位置、大きさ、および数量を変更して、ヘッドホンの音響特性および再生音質を設計できる利点がある。しかし、その一方で、制動部材に通気孔を設けると、制動部材の強度が弱くなり、空気の流量が大きくなる通気孔の周囲が振動しやすくなり、制動部材の振動を抑制する必要があるという問題が生じる場合がある。ユーザーの耳に装着するヘッドホンの設計においては、スピーカーユニットの振動板以外のヘッドホンを構成する部材が振動して放射する不要な音波は、再生音質に大きな悪影響を与えることになる。
【先行技術文献】
【特許文献】
【０００８】
【特許文献１】実開昭５９−１７７２８７号公報
【特許文献２】実開昭６１−１０９２８７号公報
【発明の概要】
【発明が解決しようとする課題】
【０００９】
本発明は、上記の従来技術が有する問題を解決するためになされたものであり、その目的は、音波を放射する振動板の前面側または背面側に制動部材を有するヘッドホン並びにスピーカーユニットに関し、特に制動部材に通気孔を設ける場合にも、適切な音響特性を有して、再生音質に優れるヘッドホン並びにスピーカーユニットを提供することにある。
【課題を解決するための手段】
【００１０】
本発明のヘッドホンは、振動板と、振動板の外周部を支持するフレームと、を有するスピーカーユニットと、スピーカーユニットを収容するハウジングと、通気性を有する素材部材で形成されて、振動板から放射される音波が通過するフレームの開孔および／またはハウジングの開孔を覆うように取り付けられる制動部材と、を備え、制動部材が、制動部材を形成する素材が除かれるように形成された１または複数の通気孔を有し、通気孔を規定する環状の縁部に縁部の振動を抑制する副制動部材が取り付けられている。
【００１１】
好ましくは、本発明のヘッドホンは、副制動部材が、通気孔を規定する縁部の形状に合わせて環状形状に形成された紙部材、不織布部材、織布部材、または、多孔質部材の何れかである。
【００１２】
また、本発明のヘッドホンは、振動板と、振動板の外周部を支持するフレームと、を有するスピーカーユニットと、スピーカーユニットを収容するハウジングと、通気性を有する素材で形成されて、振動板から放射される音波が通過するフレームの開孔および／またはハウジングの開孔を覆うように取り付けられる制動部材と、を備え、制動部材が、制動部材を形成する素材が除かれるように形成された１または複数の通気孔を有し、フレームおよび／またはハウジングが、開孔を規定する基体から開孔の内部側へ延設されて、制動部材の通気孔を規定する環状の縁部を固定する通気孔縁固定部を有して縁部の振動を抑制する。
【００１３】
好ましくは、本発明のヘッドホンは、フレームおよび／またはハウジングが、樹脂、または、金属から形成されて、通気孔縁固定部が、制動部材の通気孔を規定する縁部の形状に合わせて環状形状に形成されて、その内側に制動部材の通気孔に連通する孔を有する。
【００１４】
また、好ましくは、本発明のスピーカーユニットは、上記のヘッドホンが備えるスピーカーユニットであって、振動板から放射される音波が通過するフレームの開孔を覆うように取り付けられる制動部材を備える。
【００１５】
以下、本発明の作用について説明する。
【００１６】
本発明のヘッドホンは、振動板およびその外周部を支持するフレームを有するスピーカーユニットと、スピーカーユニットを収容するハウジングと、通気性を有する繊維部材で形成されて、振動板から放射される音波が通過するフレームの開孔および／またはハウジングの開孔を覆うように取り付けられる制動部材と、を備える。フレームの開孔並びにハウジングの開孔は、通気性を有する素材で形成される制動部材とともにヘッドホンの音響回路を構成する。さらに、制動部材は、制動部材を形成する素材が除かれるように形成された１または複数の通気孔を有する。
【００１７】
本発明の一の好ましい実施形態では、制動部材が、この通気孔を規定する環状の縁部に、縁部の振動を抑制する副制動部材が取り付けられている。したがって、制動部材に通気孔が設けられていても、副制動部材が制動部材の強度を保って、空気の流量が大きくなる制動部材の通気孔の周囲の振動を抑制することができる。この副制動部材は、縁部の振動を抑制する部材であれば材料を問わないが、好ましくは、通気孔を規定する縁部の形状に合わせて環状形状に形成された紙部材、不織布部材、織布部材、または、多孔質部材の何れかを採用することができる。その結果、本発明のヘッドホンは、適切な音響特性を有して、再生音質に優れるものになる。
【００１８】
また、本発明の他の好ましい実施形態では、フレームおよび／またはハウジングが、開孔を規定する基体から開孔の内部側へ延設されて、制動部材の通気孔を規定する環状の縁部を固定する通気孔縁固定部を有する。この通気孔縁固定部は、その内側に制動部材の通気孔に連通する孔を有し、制動部材の通気孔の縁部の振動を抑制する。フレームおよび／またはハウジングが、樹脂、または、金属から形成されている場合には、通気孔縁固定部は、制動部材の通気孔を規定する縁部の形状に合わせて環状形状に形成すればよい。したがって、制動部材に通気孔が設けられていても、通気孔縁固定部が制動部材の強度を保って、空気の流量が大きくなる制動部材の通気孔の周囲の振動を抑制することができる。その結果、本発明のヘッドホンは、適切な音響特性を有して、再生音質に優れるものになる。
【００１９】
なお、上記の本発明のヘッドホンを構成するスピーカーユニットにおいて、振動板から放射される音波が通過するフレームの開孔を覆うように制動部材を取り付け、上記何れかのように、制動部材の通気孔の縁部の振動を抑制する副制動部材を設けるか、フレームに通気孔縁固定部を設ければよい。再生音質に優れるヘッドホンを構成することができる。
【発明の効果】
【００２０】
本発明のヘッドホン並びにスピーカーユニットは、制動部材に通気孔を設ける場合にも、適切な音響特性を有して、再生音質に優れるヘッドホン並びにスピーカーユニットを提供することができる。
【図面の簡単な説明】
【００２１】
【図１】本発明の一実施形態に係るヘッドホンの外観図である。
【図２】本発明の一実施形態に係るヘッドホンユニットの具体的な構造を示した説明図である。
【図３】本発明の一実施形態に係るヘッドホンのスピーカーユニットの具体的な構造を示した説明図である。
【図４】本発明の一実施形態に係るヘッドホンの音圧周波数特性を示すグラフである。
【図５】本発明の一実施形態に係るヘッドホンの他のスピーカーユニットの具体的な構造を示した説明図である。
【発明を実施するための形態】
【００２２】
以下、本発明の好ましい実施形態によるヘッドホン並びにスピーカーユニットについて説明するが、本発明はこれらの実施形態には限定されない。
【実施例１】
【００２３】
図１は、本発明の好ましい実施形態によるヘッドホン１について説明する図である。具体的には、図１は、ヘッドホン１の外観を示す斜視図である。なお、ヘッドホン１の形態は、本実施例の場合に限定されない。本発明の説明に不要な他のヘッドホン１の構成については、図示及び説明を省略する。
【００２４】
本実施例のヘッドホン１は、左右のヘッドホンユニット１Ａ、１Ｂと、これらヘッドホンユニット１Ａ、１Ｂを連結するヘッドバンド１Ｃを備えている。ヘッドホンユニット１Ａ、１Ｂは、スピーカーユニットを収容するハウジング２と耳接触部３をそれぞれ備えている。ヘッドバンド１Ｃはハンガー１Ｄとの連結部にそれぞれ接続されており、ハンガー１Ｄ、１Ｄは各ハウジング２、２に連結されている。
【００２５】
ヘッドホン１には、ハウジング２の側部に（図２で図示する）複数の孔部２ａが設けられており、孔部２ａによってハウジング２の内部空間が耳接触部３の外側におけるハウジング２の外部と連通している。ヘッドホン１は、孔部２ａによってハウジング２の内部空間によるコンプライアンス（音響容量）を調整でき、コンプライアンスが調整されることによって周波数特性、特に低音域の周波数特性を調整することができる。
【００２６】
図２は、本発明の一実施形態に係るヘッドホン１の一方のヘッドホンユニット１Ａにおいて、内部空間２Ｓおよび空気室３０を含むハウジング２の具体的な構造を示した説明図である。図２は、ハウジング２において筐体部材２１を用いる場合の内部構造を示した断面図である。ヘッドホン１のヘッドホンユニット１Ａ、１Ｂは、前述したように、スピーカーユニット１０と、スピーカーユニット１０の少なくとも背面側を囲むハウジング２と、スピーカーユニット１０の前面側に設けられる耳接触部３を備えている。ヘッドホンユニット１Ａ、１Ｂは、図２に示すハウジング２を採用することができる。
【００２７】
スピーカーユニット１０は、振動板１１と、振動板１１に連結されるボイスコイルと、ボイスコイルが配置される磁気ギャップを有する磁気回路１３と、振動板１１の外周部を支持するフレーム１５を備えている。磁気回路１３は、フレーム１５に支持されて、さらに連結部材２２に連結している。磁気回路１３は、プレートと磁石とヨークを備えており、プレートとヨークの間に前述した磁気ギャップが形成されている。スピーカーユニット１０の構成はこれに限らず、磁石とヨークとの間に磁気ギャップを形成するなど、各種の周知な形態を採用することができる。
【００２８】
本実施例のスピーカーユニット１０のフレーム１５は、その基体が樹脂から形成されており、振動板１１から放射される音波が後述する内部空間２Ｓ側へ通過する複数の開孔１６を規定している。フレーム１５の開孔１６には、これを覆うように通気性を有する素材で形成される制動部材１７が取り付けられる。制動部材１７の具体的な構成については、後述する。
【００２９】
ハウジング２は、スピーカーユニット１０が連結される連結部材２２とスピーカーユニット１０の背面側を囲む筐体部材２１を備えている。筐体部材２１は、スピーカーユニット１０の背面側に内部空間２Ｓを規定する壁面部２１Ａと、外周筒部２１Ｂと面部２１Ｃとを備える。筐体部材２１の外周筒部２１Ｂには、ハンガー１Ｄが回転自在に取り付けられている。筐体部材２１と連結する連結部材２２は、スピーカーユニット１０を支持する支持部分２２Ａを備えている。支持部分２２Ａはハウジング２の内側に突出してスピーカーユニット１０のフレーム１５を支持している。連結部材２２は、さらに、スピーカーユニット１０の音響放射面に対向した保護部分２２Ｂと、スピーカーユニット１０の振動板１１が露出する開口部２２Ｃとを備えて、耳接触部３が取り付けられている。
【００３０】
耳接触部３は、環状の弾性部材と弾性部材を覆う被覆部材とで構成されている。耳接触部３は、スピーカーユニット１０の音響放射側にてハウジング２の連結部材２２に取り付けられている。耳接触部３はリスナーの耳に接触することで、ハウジング２の外部を耳接触部３の内側の空間（外部空間Ｓ１）と耳接触部３の外側における外部Ｓ２に区分けしている。耳接触部３の内側におけるハウジング２の外部空間Ｓ１はリスナーの耳内と連通する空間である。耳接触部３の外側におけるハウジング２の外部Ｓ２は、耳接触部３によって耳内の空間と区分けされている。
【００３１】
ヘッドホンユニット１Ａ（１Ｂ）においては、ハウジング２の内部空間２Ｓは、耳接触部３の内側におけるハウジング２の外部空間Ｓ１と連通している。具体的には、内部空間２Ｓは、ハウジング２を構成する筐体部材２１と、スピーカーユニット１０が連結される連結部材２２と、後述する孔形成部材２３とを含んで構成されている。ハウジング２の内部空間２Ｓは、ハウジング２の連結部材２２が備える開口部２２Ｄを介して、耳接触部３の内側におけるハウジング２の外部空間Ｓ１と連通している。本実施例のハウジング２の開口部２２Ｄは、これを覆うように通気性を有する素材で形成される制動部材２７が取り付けられる。制動部材２７の具体的な構成については、後述する。
【００３２】
ハウジング２には、ハウジング２の内部空間２Ｓとは別に空気室３０が設けられている。この空気室３０は、ハウジング２の内側又はハウジングの外側に設けられていても構わない。例えば、ハウジング２の外部側におけるハウジング２の外周側面、ハウジング２の内部空間側におけるハウジング２の内周側面、又はハウジング２を構成する部材の内部に空気室が設けられている場合などが挙げられる。ハウジング２の内部空間２Ｓは、空気室３０を介して耳接触部３の外側におけるハウジング２の外部Ｓ２と連通している。本実施形態における空気室３０は、ハウジング２の構成部材で形成されている。
【００３３】
すなわち、空気室３０は、ハウジング２を構成する筐体部材２１と、スピーカーユニット１０が連結される連結部材２２と、後述する孔形成部材２３とで構成されている。ハウジング２は、前述した空気室３０を第１の空気室として、ハウジング２の内部空間２Ｓを第２の空気室として備える。筐体部材２１および連結部材２２は、内部空間２Ｓと空気室３０とを隔てる内壁部３２を規定する。
【００３４】
その結果、ハウジング２は、壁部（側部）において、壁部の一部が２重構造を備えており、外側壁部３１と内側壁部３２を備えている。空気室（第１の空気室）３０は、耳接触部３の外側におけるハウジング２の外部Ｓ２に対面する外側壁部３１とハウジング２の内部空間２Ｓに対面する内側壁部３２の間に配置されている。外側壁部３１は、第１の孔部２ａを備え、図示の例ではハウジング２の外周側面である外周筒部２１Ｂに設けられている。内側壁部３２は、第２孔部２ｂが形成される孔形成部材２３を備える。
【００３５】
孔形成部材２３は、この内壁部３２の厚み寸法ｔ２よりも一辺の長さが長い略立方体状の部材であり、筐体部材２１と連結部材２２とに挟持されて内壁部に固定される。本実施例では、孔形成部材２３は、厚み寸法ｔ２よりも長い所定の幅寸法、奥行き寸法、高さ寸法を有するブロック状の部材であり、奥行き方向に内部空間２Ｓと空気室３０とを連通させる第２孔部２ｂが形成される。したがって、第２孔部２ｂは、内壁部３２のみ寸法ｔ２よりも全長が長い貫通孔を形成することができる。
【００３６】
孔形成部材２３の第２孔部２ｂの長さを長くすることができると、ハウジング２の内部空間２Ｓおよび空気質３０によるコンプライアンスを調整でき、コンプライアンスが調整されることによって周波数特性、特に低音域の周波数特性を調整することができる。本実施例の孔形成部材２３には、３つの第２孔部２ｂが形成されている。孔形成部材２３は、略立方体状の部材であるので、第２孔部２ｂを複数設けてその数を調整することにより、コンプライアンスの調整ができるようになる。
【００３７】
図示の例では、ハウジング２は、連結部材２２の構成部材と筐体部材２１の構成部材を接続して構成されている。空気室（第１の空気室）３０は、連結部材２２と筐体部材２１の接続位置の近傍に設けられる。詳細には、ハウジング２の径方向における、連結部材２２と筐体部材２１の接続位置に設けられている。また、空気室３０は、連結部材２２の一部と筐体部材２１の一部とで構成される、又は連結部材２２全体と筐体部材２１全体とで構成されていても構わない。
【００３８】
図３は、ヘッドホンユニット１Ａ（または１Ｂ）に用いるスピーカーユニット１０の構造を示す説明図である。具体的には、図３（ｂ）はスピーカーユニット１０のフレーム１５の外周側を背面側（つまり、内部空間２Ｓ側）からみた部分拡大図であり、図３（ａ）はＡ−Ａ断面でのスピーカーユニット１０の部分拡大断面図である。なお、図３では、説明に不要な磁気回路１３、連結部材２２、等の他の構成は、図示を省略している。
【００３９】
スピーカーユニット１０のフレーム１５には、振動板１１から放射される音波が内部空間２Ｓ側へ通過する開孔１６を覆うように、通気性を有する繊維部材で形成される制動部材１７が取り付けられている。本実施例の制動部材１７は、所定の厚みの紙材であって、その周囲部分がフレーム１５の背面側から開孔１６の周囲に貼り付けられている。制動部材１７には、所定の位置に複数の通気孔１９が形成されている。
【００４０】
制動部材１７の通気孔１９は、制動部材１７を形成する素材である繊維が除かれた部分であって、実質的に円環状の縁部１８によって規定されている。縁部１８は、通気孔１９を規定する端面と、この端面および通気孔１９の周囲部分とを含む。図示する通気孔１９は、円形の縁部１８によって規定されている円形孔であるが、通気孔１９の形状は、環状の縁部１８によって規定されている形状であれば、三角形、四角形、等の多角形、あるいは、楕円形等であってもよい。なお、制動部材１７が、通気性を有する他の素材によって形成されている場合には、その通気孔１９は、その素材が除かれたりして存在しない部分であればよい。
【００４１】
制動部材１７は、通気性を有する紙部材で形成されるので、通気孔１９が設けられていない部分でも所定の通気性を有する。ただし、繊維が存在しない通気孔１９の通気性が勝るので、単位面積当たりの通気性は、制動部材１７のみの場合よりも、通気孔１９を含む場合の方が高くなる。スピーカーユニット１０の振動板１１が振動する際に、通気孔１９を通過する空気の量が大きくなると、制動部材１７の通気孔１９の縁部１８に不要な振動が発生するおそれがある。
【００４２】
本実施例の場合には、制動部材１７の通気孔１９を規定する環状の縁部１８には、副制動部材２０が取り付けられている。副制動部材２０は、円形の通気孔１９および縁部１８に対応した円環状の部材であって、本実施例では、多孔質部材であるＥＶＡ（Ethylene-vinyl acetate：エチレン酢酸ビニルコポリマー）で形成されて、両面テープまたは接着剤により制動部材１７に取り付けられる。副制動部材２０の内部側の孔は、制動部材１７の通気孔１９と略同心円上に位置するので、通気孔１９は副制動部材２０によって塞がれない。
【００４３】
副制動部材２０は、所定の幅および厚みを有する円環状の部材であるので、制動部材１７の通気孔１９を規定する環状の縁部１８に取り付けられると、縁部１８を補強する。したがって、副制動部材２０は、制動部材１７の通気孔１９の縁部１８の振動を抑制することができ、振動に起因する異音などの不要な音波の発生を抑えることができ、ヘッドホン１の再生音質を高めることができる。
【００４４】
なお、副制動部材２０は、円形の縁部１８に対応した環状の部材であればよく、他の通気性を有する紙部材、不織布部材、織布部材のような繊維部材で形成した部材であってもよい。もちろん、副制動部材２０は、制動部材１７の通気孔１９の縁部１８の振動を抑制して不要な音波の発生を抑えることができるものであれば、樹脂または金属から形成されるワッシャーのような通気性を持たない環状の部材であってもよい。
【００４５】
図４は、ヘッドホン１の音圧周波数特性を示すグラフである。具体的には、本実施例のスピーカーユニット１０を備えるヘッドホン１（実線）と、比較例として副制動部材２０を備えない点のみで上記のスピーカーユニット１０と相違する（図示しない）スピーカーユニットを備える（図示しない）ヘッドホン１００（破線）と、の音圧周波数特性を重ね書きしている。グラフは、横軸が周波数であり、縦軸が耳接触部３の内側の空間（外部空間Ｓ１）での音圧レベルである。
【００４６】
本実施例のヘッドホン１の場合には、比較例のヘッドホン１００の場合に比べて、制動部材１７の通気孔１９を規定する縁部１８に副制動部材２０を貼りつけることで、中音域での音圧レベルが下がり、中高音域の音圧レベルが上がる。また、比較試聴の結果、ヘッドホン１００に比べてヘッドホン１の再生音質の方が優れることが確認できる。本実施例の場合には、副制動部材２０が制動部材１７の縁部１８を補強して、不要な振動に起因する異音などの不要な音波の発生を抑えることができるからである。
【００４７】
なお、本実施例では、制動部材１７がスピーカーユニット１０のフレーム１５の開孔１６を覆うように取り付けられている。この制動部材１７には、通気孔１９を規定する縁部１８に副制動部材２０が取り付けられている。したがって、このスピーカーユニット１０をハウジング２に取り付けると、ヘッドホンユニット１を構成することができる。つまり、このスピーカーユニット１０は、単体で再生音質に優れるヘッドホン１を構成するのに適した部品として取り扱うことができる。
【００４８】
ただし、ヘッドホン１では、制動部材がハウジング２のいずれかの開孔を覆うように取り付けられる場合にも、その通気孔を規定する縁部に、同様に副制動部材を設けることができる。例えば、本実施例のハウジング２の開口部２２Ｄは、これを覆うように通気性を有する素材で形成される制動部材２７が取り付けられる。制動部材２７は、制動部材１７と同様に、所定の位置に複数の（図示しない）通気孔が形成されている。そこで、制動部材２７の通気孔の縁部を補強する様に、（図示しない）副制動部材を取り付ければよい。
【００４９】
つまり、ヘッドホン１の制動部材は、スピーカーユニット１０のフレーム１５に取り付けられるものと、ハウジング２のいずれかの開孔を覆うものと、の少なくともいずれか一方か、または、その両方において、制動部材の通気孔の縁部を補強する様に、副制動部材を取り付ければよい。ハウジング２の開孔を覆う制動部材が複数ある場合にも、少なくともいずれかの制動部材の通気孔の縁部を補強する副制動部材が設けられていればよい。
【実施例２】
【００５０】
図５は、ヘッドホンユニット１Ａ（または１Ｂ）に用いる他のスピーカーユニット１０Ａの構造を示す説明図である。本実施例のスピーカーユニット１０Ａは、上記の実施例のスピーカーユニット１０に比較して、フレーム１５Ａの一部の構成と、副制動部材２０を備えない点と、において相違して他の構成が共通する。したがって、共通する構成については、同一の符号を付して説明を省略する。
【００５１】
図３と同様に、具体的には、図５（ｂ）はスピーカーユニット１０Ａのフレーム１５Ａの外周側を背面側（つまり、内部空間２Ｓ側）からみた部分拡大図であり、図５（ａ）はＡ−Ａ断面でのスピーカーユニット１０Ａの部分拡大断面図である。
【００５２】
スピーカーユニット１０Ａのフレーム１５Ａでは、振動板１１から放射される音波が内部空間２Ｓ側へ通過する開孔１６において、開孔１６を規定する基体から内部側へ延設されて、制動部材１７の通気孔１９を規定する環状の縁部１８を固定する通気孔縁固定部１５Ｂが形成されている。制動部材１７は、所定の厚みの紙材であって、その周囲部分がフレーム１５の背面側から開孔１６の周囲に貼り付けられている。制動部材１７には、所定の位置に複数の通気孔１９が形成されている。したがって、通気孔縁固定部１５Ｂは、その内側に制動部材１７の通気孔１９に連通する孔を有する。通気孔縁固定部１５Ｂの内部側の孔は、制動部材１７の通気孔１９と略同心円上に位置するので、通気孔１９は通気孔縁固定部１５Ｂによって塞がれない。
【００５３】
フレーム１５Ａにおいて、通気孔縁固定部１５Ｂは、開孔１６を規定する基体から内部側へ延設された円環状の部分であるので、制動部材１７が取り付けられると、その通気孔１９を規定する環状の縁部１８を補強する。したがって、通気孔縁固定部１５Ｂは、制動部材１７の通気孔１９の縁部１８の振動を抑制することができ、振動に起因する異音などの不要な音波の発生を抑えることができ、ヘッドホン１の再生音質を高めることができる。
【００５４】
なお、通気孔縁固定部１５Ｂは、円形の縁部１８に対応した環状の部分であればよく、フレーム１５Ａが金属から形成されている場合にも、同様に開孔１６を規定する基体から内部側へ延設されて形成されればよい。通気孔縁固定部１５Ｂは、１カ所または複数箇所に設けられていればよい。
【００５５】
なお、本実施例においても、制動部材１７がスピーカーユニット１０Ａのフレーム１５Ａの開孔１６を覆うように取り付けられている。この制動部材１７の通気孔１９を規定する縁部１８は、フレーム１５Ａの開孔１６を規定する基体から内部側へ延設されて形成された通気孔縁固定部１５Ｂに取り付けられている。したがって、このスピーカーユニット１０Ａは、単体で再生音質に優れるヘッドホン１を構成するのに適した部品として取り扱うことができる。
【００５６】
ただし、ヘッドホン１では、制動部材がハウジング２のいずれかの開孔を覆うように取り付けられる場合にも、ハウジング２に通気孔縁固定部を設けることができる。例えば、本実施例のハウジング２の開口部２２Ｄは、これを覆うように通気性を有する繊維部材で形成される制動部材２７が取り付けられる。制動部材２７は、制動部材１７と同様に、所定の位置に複数の（図示しない）通気孔が形成されている。そこで、制動部材２７の通気孔の縁部を補強する様に、開口部２２Ｄを規定する基体から開口部２２Ｄの内部側へ延設される（図示しない）通気孔縁固定部を取り付ければよい。
【００５７】
つまり、ヘッドホン１の制動部材は、スピーカーユニット１０Ａのフレーム１５Ａに取り付けられるものと、ハウジング２のいずれかの開孔を覆うものと、の少なくともいずれか一方か、または、その両方において、制動部材の通気孔の縁部を補強する様に、通気孔縁固定部を設ければよい。ハウジング２の開孔を覆う制動部材が複数ある場合にも、少なくともいずれかの制動部材の通気孔の縁部を補強する通気孔縁固定部が設けられていればよい。
【００５８】
なお、図１では、ステレオ再生に対応するヘッドホン１のコードおよびプラグ部は図示を省略されている。ヘッドホン１は、音声信号を供給するコードおよびプラグ部を備えない無線信号を受信する受信部を備えるワイヤレスヘッドホンであってもよい。
【産業上の利用可能性】
【００５９】
本発明のヘッドホンは、図示するようなオーバーヘッドタイプのヘッドホンに限らず、さらに別の耳掛け部を備えるヘッドホンであってもよい。また、ヘッドホンに限らず、イヤホン、カナル型のイヤホン等にも適用が可能である。また、本発明のヘッドホン並びにイヤホンは、家庭用のステレオ再生、もしくはマルチチャンネルサラウンド再生に限られず、車載用のオーディオ機器や、映画館等の音響再生設備にも適用が可能である。
【符号の説明】
【００６０】
１            ヘッドホン
２            ハウジング
３            耳接触部
１０、１０Ａ  スピーカーユニット
１５、１５Ａ  フレーム
１５Ｂ        通気孔縁固定部
１６          開孔
１７          制動部材
１８          縁部
１９          通気孔
２０          副制動部材
【図１】
2018186356.tif 000003
【図２】
2018186356.tif 000004
【図３】
2018186356.tif 000005
【図４】
2018186356.tif 000006
【図５】
2018186356.tif 000007